(57)【要約】【課題】投影画像を良好に立体視させることができるプロジェクター、及びプロジェクションシステムを提供する。【解決手段】プロジェクター２Ａは、位相差値が第１位相差値または第２位相差値に切り替わり、光変調装置２４Ａ，２４Ｂにて変調された光束の偏光状態を変換する偏光切替装置２２と、制御装置２３とを備える。制御装置２３は、交互に切り替わる第１，第２期間のうち、第１期間で左目用画像及び右目用画像の一方の画像を光変調装置２４Ａ，２４Ｂに形成させ、第２期間で他方の画像を光変調装置２４Ａ，２４Ｂに形成させる表示制御部２３４と、第１期間で偏光切替装置２２の位相差値を第１位相差値及び第２位相差値の一方の位相差値に切り替え、第２期間で他方の位相差値に切り替える偏光制御部２３５とを備える。【選択図】図２
2013120264.tif 000002
【特許請求の範囲】
【請求項１】
光源装置と、前記光源装置から出射された光束を変調して画像を形成する光変調装置と、前記画像を投射する投射光学装置とを備えたプロジェクターであって、
前記光変調装置の光路下流側に設けられ、位相差値が第１位相差値または第２位相差値に切り替わり、前記光変調装置にて変調された光束の偏光状態を変換する偏光切替装置と、
前記光変調装置及び前記偏光切替装置の動作を制御する制御装置とを備え、
前記制御装置は、
交互に切り替わる第１期間及び第２期間のうち、前記第１期間で左目用画像及び右目用画像の一方の画像を前記光変調装置に形成させ、前記第２期間で他方の画像を前記光変調装置に形成させる表示制御部と、
前記第１期間で前記偏光切替装置の位相差値を前記第１位相差値及び前記第２位相差値の一方の位相差値に切り替え、前記第２期間で他方の位相差値に切り替える偏光制御部とを備える
ことを特徴とするプロジェクター。
【請求項２】
請求項１に記載のプロジェクターにおいて、
前記光変調装置は、
第１の光変調装置と、第２の光変調装置とを備え、
前記第１の光変調装置及び前記第２の光変調装置は、
形成した画像を互いに偏光方向が直交する直線偏光でそれぞれ出射し、
前記表示制御部は、
前記第１期間で左目用画像及び右目用画像の一方の画像を前記第１の光変調装置に形成させるとともに他方の画像を前記第２の光変調装置に形成させ、前記第２期間で前記他方の画像を前記第１の光変調装置に形成させるとともに前記一方の画像を前記第２の光変調装置に形成させる
ことを特徴とするプロジェクター。
【請求項３】
請求項１または請求項２に記載のプロジェクターにおいて、
前記表示制御部は、
前記光変調装置を線順次駆動させ、前記光変調装置に形成させる画像を前記第１期間及び前記第２期間で前記左目用画像または前記右目用画像に更新し、
前記偏光切替装置は、
前記光変調装置からの光束が入射される全領域を第１の方向に沿って複数の分割領域に仮想的に分割した場合に、前記複数の分割領域を前記第１の方向に沿って順次、前記第１位相差値または前記第２位相差値に切替可能に構成され、
前記偏光制御部は、
前記光変調装置に形成された画像の更新開始タイミングを起点として、前記複数の分割領域を前記第１の方向に沿って順次、前記第１位相差値または前記第２位相差値へと切り替える
ことを特徴とするプロジェクター。
【請求項４】
請求項１から請求項３のいずれかに記載のプロジェクターと、
前記プロジェクターから投射された画像が投影されるスクリーンと、
前記スクリーンに投影された画像のうち、左目用画像を透過させる左目用透過部、及び右目用画像を透過させる右目用透過部を有する偏光眼鏡とを備える
ことを特徴とするプロジェクションシステム。
【発明の詳細な説明】
【技術分野】
【０００１】
本発明は、プロジェクター、及びプロジェクションシステムに関する。
【背景技術】
【０００２】
従来、第１，第２のプロジェクターと、第１，第２のプロジェクターから投射された画像が投影されるスクリーンと、観察者に装着される偏光眼鏡とを備えたプロジェクションシステムが知られている（例えば、特許文献１参照）。
特許文献１に記載のプロジェクションシステム（投射型立体画像表示装置）では、第１のプロジェクター（投射型画像表示装置）は、左目用画像を形成し、当該左目用画像を第１直線偏光でスクリーンに投射する。一方、第２のプロジェクター（投射型画像表示装置）は、右目用画像を形成し、当該右目用画像を第１直線偏光に対して偏光方向が直交した第２直線偏光でスクリーンに投射する。
そして、観察者は、偏光眼鏡を通してスクリーン上の投影画像を観察することで、第１直線偏光で投射された左目用画像を左目で視認し、第２直線偏光で投射された右目用画像を右目で視認する。したがって、観察者は、視差により投影画像を立体視することとなる。
【先行技術文献】
【特許文献】
【０００３】
【特許文献１】特開平７−３６００４号公報
【発明の概要】
【発明が解決しようとする課題】
【０００４】
しかしながら、特許文献１に記載のプロジェクションシステムでは、投影画像を良好に立体視させることができない、という問題がある。
具体的に、図１１は、従来のプロジェクションシステム１００における課題を説明するための図である。
なお、図１１では、第１のプロジェクター１００Ａから投射され、スクリーンＳｃ上の点Ａ（図１１（Ａ））または点Ｂ（図１１（Ｂ））で正反射に近い角度で反射した光を１点鎖線で示している。また、図１１では、第２のプロジェクター１００Ｂから投射され、スクリーンＳｃ上の点Ａまたは点Ｂで正反射に近い角度で反射した光を２点鎖線で示している。
例えば、観察者は、スクリーンＳｃ上の点Ａを観察している場合には、以下に示すように、第１，第２のプロジェクター１００Ａ，１００Ｂから投射された光がスクリーンＳｃを介して目Ｅｙに入射することとなる。
観察者の目Ｅｙには、図１１（Ａ）に示すように、第１のプロジェクター１００Ａから投射された光のうち、スクリーンＳｃ上の点Ａで正反射に近い角度で反射した光が入射する。一方、観察者の目Ｅｙには、第２のプロジェクター１００Ｂから投射された光のうち、スクリーンＳｃ上の点Ａで正反射とは大きく異なる角度で反射した光が入射する。
すなわち、スクリーンＳｃ上の点Ａを観察している場合には、観察者の目Ｅｙには、第２のプロジェクター１００Ｂよりも第１のプロジェクター１００Ａから投射された光の方が多く入射することとなる。
このため、投影画像において、点Ａでは、第１のプロジェクター１００Ａから投射される左目用画像の輝度が第２のプロジェクター１００Ｂから投射される右目用画像の輝度よりも高くなる。
【０００５】
また、例えば、観察者は、スクリーンＳｃ上の点Ｂを観察している場合には、以下に示すように、第１，第２のプロジェクター１００Ａ，１００Ｂから投射された光がスクリーンＳｃを介して目Ｅｙに入射することとなる。
観察者の目Ｅｙには、図１１（Ｂ）に示すように、第２のプロジェクター１００Ｂから投射された光のうち、スクリーンＳｃ上の点Ｂで正反射に近い角度で反射した光が入射する。一方、観察者の目Ｅｙには、第１のプロジェクター１００Ａから投射された光のうち、スクリーンＳｃ上の点Ｂで正反射とは大きく異なる角度で反射した光が入射する。
すなわち、スクリーンＳｃ上の点Ｂを観察している場合には、上記点Ａを観察している場合とは逆に、観察者の目Ｅｙには、第１のプロジェクター１００Ａよりも第２のプロジェクター１００Ｂから投射された光の方が多く入射することとなる。
このため、点Ｂを観察している場合には、上記点Ａを観察している場合とは逆に、右目用画像の輝度が左目用画像の輝度よりも高くなる。
以上のことから、特許文献１に記載のプロジェクションシステムでは、投影画像に輝度ムラが生じてしまい、投影画像を良好に立体視させることができない。
【０００６】
本発明の目的は、投影画像を良好に立体視させることができるプロジェクター、及びプロジェクションシステムを提供することにある。
【課題を解決するための手段】
【０００７】
本発明のプロジェクターは、光源装置と、前記光源装置から出射された光束を変調して画像を形成する光変調装置と、前記画像を投射する投射光学装置とを備えたプロジェクターであって、前記光変調装置の光路下流側に設けられ、位相差値が第１位相差値または第２位相差値に切り替わり、前記光変調装置にて変調された光束の偏光状態を変換する偏光切替装置と、前記光変調装置及び前記偏光切替装置の動作を制御する制御装置とを備え、前記制御装置は、交互に切り替わる第１期間及び第２期間のうち、前記第１期間で左目用画像及び右目用画像の一方の画像を前記光変調装置に形成させ、前記第２期間で他方の画像を前記光変調装置に形成させる表示制御部と、前記第１期間で前記偏光切替装置の位相差値を前記第１位相差値及び前記第２位相差値の一方の位相差値に切り替え、前記第２期間で他方の位相差値に切り替える偏光制御部とを備えることを特徴とする。
【０００８】
本発明では、プロジェクターは、上述した偏光切替装置と、上述した表示制御部及び偏光制御部を有する制御装置とを備える。
このことにより、例えば、プロジェクションシステムを構成する第１，第２のプロジェクターに本発明のプロジェクターをそれぞれ用いれば、スクリーンに対して、以下に示すように第１，第２のプロジェクターから画像を投射させることができる。
例えば、第１のプロジェクターは、第１期間で左目用画像を形成し、第１位相差値に切り替えた偏光切替装置を介して、当該左目用画像を第１直線偏光で投射する。また、第１のプロジェクターは、第２期間で右目用画像を形成し、第２位相差値に切り替えた偏光切替装置を介して、当該右目用画像を第２直線偏光で投射する。
一方、第２のプロジェクターは、第１期間で右目用画像を形成し、第２位相差値に切り替えた偏光切替装置を介して、当該右目用画像を第２直線偏光で投射する。また、第２のプロジェクターは、第２期間で左目用画像を形成し、第１位相差値に切り替えた偏光切替装置を介して、当該左目用画像を第１直線偏光で投射する。
【０００９】
そして、観察者は、偏光眼鏡を通してスクリーン上の投影画像を観察することで、第１期間では、第１のプロジェクターから投射された第１直線偏光の左目用画像を左目で視認し、第２のプロジェクターから投射された第２直線偏光の右目用画像を右目で視認する。また、第２期間では、第２のプロジェクターから投射された第１直線偏光の左目用画像を左目で視認し、第１のプロジェクターから投射された第２直線偏光の右目用画像を右目で視認する。したがって、観察者は、第１，第２期間において、それぞれ視差により投影画像を立体視することができる。
【００１０】
また、上述したように、第１のプロジェクターは、左目用画像及び右目用画像を交互に投射する。第２のプロジェクターも同様である。このため、以下の効果を享受できる。
すなわち、投影画像の所定位置を観察した際に、観察者の目に対して、第２のプロジェクターよりも第１のプロジェクターから投射される光の方が多く入射する場合であっても、第１期間では左目用画像（第１のプロジェクターから投射）が強く視認されるが、第２期間では左目用画像（第２のプロジェクターから投射）が弱く視認されることとなる。
このため、左目用画像の輝度値が時間的に平均化されることとなる。
なお、右目用画像についても同様である。また、投影画像の他の位置を観察した場合に、観察者の目に対して、第１のプロジェクターよりも第２のプロジェクターから投射される光の方が多く入射する場合でも同様である。
したがって、第１，第２期間で時間的に輝度値が平均化されることで、投影画像の輝度ムラを軽減し、投影画像を良好に立体視させることができる。
【００１１】
本発明のプロジェクターでは、前記光変調装置は、第１の光変調装置と、第２の光変調装置とを備え、前記第１の光変調装置及び前記第２の光変調装置は、形成した画像を互いに偏光方向が直交する直線偏光でそれぞれ出射し、前記表示制御部は、前記第１期間で左目用画像及び右目用画像の一方の画像を前記第１の光変調装置に形成させるとともに他方の画像を前記第２の光変調装置に形成させ、前記第２期間で前記他方の画像を前記第１の光変調装置に形成させるとともに前記一方の画像を前記第２の光変調装置に形成させることが好ましい。
【００１２】
ところで、従来、第１，第２のプロジェクターが上述した第１の光変調装置及び第２の光変調装置を備え、スクリーンに対して、以下に示すように第１，第２のプロジェクターから画像を投射させる、所謂G-swap方式のプロジェクションシステムも知られている。
すなわち、第１のプロジェクターは、スクリーンに対して、赤（Ｒ），青（Ｂ）の各色光用の光変調装置（第２光変調装置）で形成したＲ，Ｂ色光用の各左目用画像を第１直線偏光で投射し、Ｇ色光用の光変調装置で形成したＧ色光用の右目用画像を第２直線偏光で投射する。
一方、第２のプロジェクターは、スクリーンに対して、Ｒ，Ｂ色光用の各光変調装置で形成したＲ，Ｂ色光用の各右目用画像を第２直線偏光で投射し、Ｇ色光用の光変調装置で形成したＧ色光用の左目用画像を第１直線偏光で投射する。
そして、観察者は、偏光眼鏡を通してスクリーン上の投影画像を観察することで、第１直線偏光で投射されたＲ，Ｇ，Ｂ色光用の各左目用画像を左目で視認し、第２直線偏光で投射されたＲ，Ｇ，Ｂ色光用の各右目用画像を右目で視認する。したがって、観察者は、視差により投影画像を立体視することとなる。
【００１３】
そして、上述したG-swap方式のプロジェクションシステムでは、投影画像（左目用画像）において、点Ａ（図１１（Ａ））では、第１のプロジェクターから投射されるＲ，Ｂ色光用の左目用画像の輝度が第２のプロジェクターから投射されるＧ色光用の左目用画像の輝度よりも高くなる。したがって、左目用画像において、点Ａでは、マゼンタ色が強く視認されることとなる。一方、右目用画像において、点Ａでは、上記とは逆となるため、緑色が強く視認されることとなる。
また、点Ｂ（図１１（Ｂ））を観察している場合には、上記点Ａを観察している場合とは逆に、左目用画像において緑色が強く視認され、右目用画像においてマゼンタ色が強く視認されることとなる。
以上のことから上述したG-swap方式のプロジェクションシステムでは、投影画像に色ムラが生じてしまい、投影画像を良好に立体視させることができない。
【００１４】
本発明では、第１，第２の光変調装置は、形成した画像を互いに偏光方向が直交する直線偏光でそれぞれ出射する。そして、表示制御部は、上述したように第１，第２の光変調装置に画像を形成させる。
このことにより、例えば、Ｇ−ｓｗａｐ方式のプロジェクションシステムを構成する第１，第２のプロジェクターに本発明のプロジェクターをそれぞれ用いれば、スクリーンに対して、以下に示すように第１，第２のプロジェクターから画像を投射させることができる。
例えば、第１のプロジェクターは、第１期間でＧ色光用の左目用画像、及びＲ，Ｂ色光用の各右目用画像を形成し、第１位相差値に切り替えた偏光切替装置を介して、Ｇ色光用の左目用画像を第１直線偏光で投射するとともに、Ｒ，Ｂ色光用の各右目用画像を第２直線偏光で投射する。また、第１のプロジェクターは、第２期間でＧ色光用の右目用画像、及びＲ，Ｂ色光用の各左目用画像を形成し、第２位相差値に切り替えた偏光切替装置を介して、Ｇ色光用の右目用画像を第２直線偏光で投射するとともに、Ｒ，Ｂ色光用の各左目用画像を第１直線偏光で投射する。
一方、第２のプロジェクターは、第１期間でＧ色光用の右目用画像、及びＲ，Ｂ色光用の各左目用画像を形成し、第２位相差値に切り替えた偏光切替装置を介して、Ｇ色光用の右目用画像を第２直線偏光で投射するとともに、Ｒ，Ｂ色光用の各左目用画像を第１直線偏光で投射する。また、第２のプロジェクターは、第２期間でＧ色光用の左目用画像、及びＲ，Ｂ色光用の各右目用画像を形成し、第１位相差値に切り替えた偏光切替装置を介して、Ｇ色光用の左目用画像を第１直線偏光で投射するとともに、Ｒ，Ｂ色光用の各右目用画像を第２直線偏光で投射する。
【００１５】
そして、観察者は、偏光眼鏡を通してスクリーン上の投影画像を観察することで、第１期間では、第１直線偏光で投射されたＲ，Ｇ，Ｂ色光用の各左目用画像を左目で視認し、第２直線偏光で投射されたＲ，Ｇ，Ｂ色光用の各右目用画像を右目で視認する。第２期間も同様である。したがって、観察者は、第１，第２期間において、それぞれ視差により投影画像を立体視することができる。
また、上述したように、第１のプロジェクターは、Ｒ，Ｇ，Ｂ色光用の左目用画像及び右目用画像を交互に投射する。第２のプロジェクターも同様である。このため、以下の効果を享受できる。
すなわち、投影画像の所定位置を観察した際に、観察者の目に対して、第２のプロジェクターよりも第１のプロジェクターから投射される光の方が多く入射する場合であっても、投影画像（左目用画像）において、第１期間では緑色が強く視認されるが、第２期間ではマゼンタ色が強く視認されることとなる。
このため、左目用画像の色味が時間的に平均化されることとなる。
なお、右目用画像についても同様である。また、投影画像の他の位置を観察した場合に、観察者の目に対して、第１のプロジェクターよりも第２のプロジェクターから投射される光の方が多く入射する場合でも同様である。
したがって、第１，第２期間で時間的に色味が平均化されることで、投影画像の色ムラを軽減し、投影画像を良好に立体視させることができる。
【００１６】
本発明のプロジェクターでは、前記表示制御部は、前記光変調装置を線順次駆動させ、前記光変調装置に形成させる画像を前記第１期間及び前記第２期間で前記左目用画像または前記右目用画像に更新し、前記偏光切替装置は、前記光変調装置からの光束が入射される全領域を第１の方向に沿って複数の分割領域に仮想的に分割した場合に、前記複数の分割領域を前記第１の方向に沿って順次、前記第１位相差値または前記第２位相差値に切替可能に構成され、前記偏光制御部は、前記光変調装置に形成された画像の更新開始タイミングを起点として、前記複数の分割領域を前記第１の方向に沿って順次、前記第１位相差値または前記第２位相差値へと切り替えることが好ましい。
【００１７】
本発明では、偏光切替装置は、上述したように第１位相差値または第２位相差値に切替可能に構成されている。また、偏光制御部は、偏光切替装置の構成に合わせて、上述したように偏光切替装置の動作を制御する。
このことにより、光変調装置における線順次駆動の垂直走査方向と第１の方向とが合致するように偏光切替装置を構成すれば、光変調装置の線順次駆動に合わせて、偏光切替装置を動作させることができる。
このため、光変調装置の線順次駆動に合わせて、光変調装置にて形成された左目用画像または右目用画像を所望の偏光状態に変換することができる。
したがって、観察者は、偏光眼鏡を通してスクリーン上の投影画像を観察することで、左目で左目用画像のみを視認し、右目で右目用画像のみを視認できる。すなわち、クロストークの発生を抑制できる。
【００１８】
本発明のプロジェクションシステムは、上述したプロジェクターと、前記プロジェクターから投射された画像が投影されるスクリーンと、前記スクリーンに投影された画像のうち、左目用画像を透過させる左目用透過部、及び右目用画像を透過させる右目用透過部を有する偏光眼鏡とを備えることを特徴とする。
本発明では、プロジェクションシステムは、上述したプロジェクターを備えるので、上述したプロジェクターと同様の作用及び効果を享受できる。
【図面の簡単な説明】
【００１９】
【図１】本実施形態におけるプロジェクションシステムの使用形態を示す斜視図。
【図２】本実施形態におけるプロジェクションシステムの構成を模式的に示すブロック図。
【図３】本実施形態における第１のプロジェクターの内部構成を模式的に示す平面図。
【図４】図３の一部を拡大した図であり、各色光の偏光状態を示す図。
【図５】本実施形態における偏光切替装置の構成を模式的に示す図。
【図６】本実施形態における液晶パネルの駆動方法を説明するための模式図。
【図７】本実施形態における第１のプロジェクターの動作を説明するための図。
【図８】本実施形態における第２のプロジェクターの動作を説明するための図。
【図９】本実施形態の効果を説明するための図。
【図１０】本実施形態の効果を説明するための図。
【図１１】従来のプロジェクションシステムにおける課題を説明するための図。
【発明を実施するための形態】
【００２０】
以下、本発明の実施の一形態を図面に基づいて説明する。
〔１．プロジェクションシステムの構成〕
図１は、プロジェクションシステム１の使用形態を示す斜視図である。
図２は、プロジェクションシステム１の構成を模式的に示すブロック図である。
プロジェクションシステム１は、反射型のスクリーンＳｃ（図１）上に投影画像を表示するとともに、観察者に投影画像を立体視させる。
このプロジェクションシステム１は、図１または図２に示すように、第１，第２のプロジェクター２Ａ，２Ｂと、スクリーンＳｃ（図１）と、偏光眼鏡３とを備える。
【００２１】
〔２．プロジェクターの構成〕
図３は、第１のプロジェクター２Ａの内部構成を模式的に示す平面図である。
第１，第２のプロジェクター２Ａ，２Ｂは、同様の構成を有しているため、以下では、第１のプロジェクター２Ａのみを説明する。そして、第２のプロジェクター２Ｂにおいて、第１のプロジェクター２Ａと同様の機能を有する構成については同一の符号を付して、その説明を省略する。
第１のプロジェクター２Ａは、画像を形成してスクリーンＳｃ上に投射する。
この第１のプロジェクター２Ａは、図２または図３に示すように、光学ユニット２１（図３）と、偏光切替装置２２と、制御装置２３とを備える。
【００２２】
〔2-1．光学ユニットの構成〕
光学ユニット２１は、図３に示すように、光源ランプ２１１Ａ及びリフレクター２１１Ｂを有する光源装置２１１と、レンズアレイ２１２Ａ，２１２Ｂ、偏光変換素子２１２Ｃ、及び重畳レンズ２１２Ｄを有する照明光学装置２１２と、ダイクロイックミラー２１３Ａ，２１３Ｂ、及び反射ミラー２１３Ｃを有する色分離光学装置２１３と、入射側レンズ２１４Ａ、リレーレンズ２１４Ｃ、及び反射ミラー２１４Ｂ，２１４Ｄを有するリレー光学装置２１４と、３つの液晶パネル２１５と、３つの入射側偏光板２１６と、３つの出射側偏光板２１７と、２つの１／２波長板２１８と、色合成光学装置としてのクロスダイクロイックプリズム２１９と、投射光学装置としての投射レンズ２１０とを備える。
【００２３】
そして、光学ユニット２１では、上述した構成により、光源装置２１１から出射され照明光学装置２１２を介した光束は、色分離光学装置２１３にてＲ、Ｇ、Ｂの３つの色光に分離される。また、分離された各色光は、各液晶パネル２１５にてそれぞれ変調される。変調された各色光（各画像）は、プリズム２１９にて合成され、投射レンズ２１０にて偏光切替装置２２を介してスクリーンＳｃに投射される。
【００２４】
図４は、図３の一部を拡大した図であり、各色光の偏光状態を示す図である。
本実施形態では、３つの入射側偏光板２１６に入射したＲ，Ｇ，Ｂの各色光は、以下に示すように、偏光方向を変えながら進行する。
なお、以下では、図３（図４）中、紙面に直交する偏光方向を有する直線偏光を第１直線偏光Ｓと記載し、第１直線偏光Ｓの偏光方向に直交し、図３（図４）中、紙面に平行となる偏光方向を有する直線偏光を第２直線偏光Ｐとして記載する。
また、以下では、説明の便宜上、Ｒ色光側の液晶パネル２１５、入射側偏光板２１６、出射側偏光板２１７、及び１／２波長板２１８をそれぞれ２１５Ｒ，２１６Ｒ，２１７Ｒ，２１８Ｒと記載する（図３、図４参照）。Ｇ色光側及びＢ色光側も同様に記載する（図３、図４参照）。
先ず、光源装置２１１から出射された光束の略全ては、偏光変換素子２１２Ｃにて第１直線偏光Ｓに変換される。そして、偏光変換素子２１２Ｃから出射された光束は、色分離光学装置２１３にて各色光に分離され、図４に示すように、各色光が第１直線偏光Ｓとして各入射側偏光板２１６に入射することとなる。
【００２５】
３つの入射側偏光板２１６は、偏光変換素子２１２Ｃで揃えられた光束の偏光方向と略同一方向の透過軸を有する。すなわち、３つの入射側偏光板２１６に入射した各色光（第１直線偏光Ｓ）は、図４に示すように、偏光方向が変更されることなく、各入射側偏光板２１６から第１直線偏光Ｓとして出射される。
３つの出射側偏光板２１７は、入射側偏光板２１６の透過軸に対して照明光軸Ａｘ（図３）を中心として９０°回転した透過軸を有する。すなわち、各入射側偏光板２１６から出射され、各液晶パネル２１５を介して各出射側偏光板２１７に入射した各色光のうち第２直線偏光Ｐ成分の光は、図４に示すように、各出射側偏光板２１７から出射される。
【００２６】
ここで、１／２波長板２１８は、図３または図４に示すように、Ｒ，Ｂの各色光側において、各出射側偏光板２１７Ｒ，２１７Ｂとプリズム２１９との間に配設されている。
すなわち、図４に示すように、各出射側偏光板２１７から出射されたＲ，Ｇ，Ｂの各色光（第２直線偏光Ｐ）のうち、Ｒ，Ｂの各色光のみが１／２波長板２１８Ｒ，２１８Ｂにて第１直線偏光Ｓに変換される。
【００２７】
プリズム２１９は、図４に示すように、平面視で略Ｘ字状に交差する一対の誘電体多層膜２１９Ａ，２１９Ｂを有する。一方の誘電体多層膜２１９ＡはＲ色光を反射させるものであり、他方の誘電体多層膜２１９ＢはＢ色光を反射させるものであり、これらの誘電体多層膜２１９Ａ，２１９ＢによってＲ，Ｂの各色光は光路が折り曲げられ、Ｇ色光の進行方向と揃えられることにより、３つの色光が合成される。
ここで、プリズム２１９に入射する各色光のうち、Ｇ色光は、第２直線偏光Ｐとしてプリズム２１９に入射するため、各誘電体多層膜２１９Ａ，２１９ＢにＰ偏光で入射することとなる。すなわち、Ｇ色光は、各誘電体多層膜２１９Ａ，２１９Ｂを効果的に透過し、光の利用効率が向上することとなる。
【００２８】
一方、Ｒ，Ｂの各色光は、１／２波長板２１８Ｒ，２２８Ｂにて第１直線偏光Ｓに変換されているため、各誘電体多層膜２１９Ａ，２１９ＢにＳ偏光で入射することとなる。すなわち、Ｒ，Ｂの各色光は、各誘電体多層膜２１９Ａ，２１９Ｂにて効果的に反射し、光の利用効率が向上することとなる。
そして、プリズム２１９から出射される第２直線偏光ＰのＧ色光と第１直線偏光ＳのＲ，Ｂの各色光とが投射レンズ２１０にて投射される。
なお、上述したＧ色光側の各部材２１５Ｇ，２１６Ｇ，２１７Ｇが本発明に係る第１の光変調装置２４Ａ（図４）に相当し、Ｒ色光側の各部材２１５Ｒ，２１６Ｒ，２１７Ｒ，２１８Ｒ、及びＢ色光側の各部材２１５Ｂ，２１６Ｂ，２１７Ｂ，２１８Ｂが本発明に係る第２の光変調装置２４Ｂ（図４）に相当するものである。
【００２９】
〔2-2．偏光切替装置の構成〕
図５は、偏光切替装置２２の構成を模式的に示す図である。具体的に、図５（Ａ）は偏光切替装置２２を光入射側から見た図であり、図５（Ｂ）は図５（Ａ）におけるV-V線の断面図である。
なお、図５中、上下方向は、図１中の上下方向（鉛直方向）に相当するものである。
偏光切替装置２２は、電圧印加の状態（ＯＮ状態）と電圧非印加の状態（ＯＦＦ状態）とで位相差値Δｎｄを第１位相差値「λ／２」と第２位相差値「０」の間で切り替える液晶セルで構成されている。
具体的に、偏光切替装置２２は、図５に示すように、第１，第２基板２２１，２２２と、液晶２２３とを備える。
第１基板２２１は、透光性を有する矩形板体で構成され、第２基板２２２に対して光入射側に配設されている。
この第１基板２２１において、光出射側の端面には、図５に示すように、第１透明電極２２４が設けられている。
【００３０】
第１透明電極２２４は、複数のライン電極２２４Ａで構成されている。
なお、本実施形態では、ライン電極２２４Ａは、液晶パネル２１５の走査線Ｌ（図６参照）の数だけ設けられているが、図５では、説明の便宜上、６つのライン電極２２４Ａのみを図示している。
複数のライン電極２２４Ａは、液晶２２３に電圧を印加するための電極であり、図５に示すように、水平方向Ｗ２に沿って延びる形状を有し、第１の方向としての鉛直方向Ｗ１（液晶パネル２１５の垂直走査方向と同一）に沿って並設されている。
なお、各ライン電極２２４Ａは、本発明に係る分割領域Ａｒ１に相当するものである。
また、スペーサー２２５で囲まれた領域は、本発明に係る光束が入射される全領域Ａｒ０に相当するものである。
【００３１】
第２基板２２２は、第１基板２２１と同様に、透光性を有する矩形板体で構成され、図５（Ｂ）に示すように、スペーサー２２５を介して一定の間隔を空けて第１基板２２１に対向し、第１基板２２１及びスペーサー２２５との間で液晶２２３を密閉封入する。
この第２基板２２２において、光入射側の端面には、図５に示すように、第２透明電極２２６が設けられている。
第２透明電極２２６は、液晶２２３に電圧を印加するための電極であり、図５（Ａ）に示すように、複数のライン電極２２４Ａを平面的に覆う形状を有している。
【００３２】
以上の構成により、偏光切替装置２２は、第１，第２透明電極２２４，２２６間に電圧が印加され、位相差値Δｎｄが第１位相差値「λ／２」に切り替えられた場合には、入射した第１直線偏光Ｓを第２直線偏光Ｐに変換して出射するとともに、入射した第２直線偏光Ｐを第１直線偏光Ｓに変換して出射する。
一方、偏光切替装置２２は、第１，第２透明電極２２４，２２６間への電圧の印加が停止され、位相差値Δｎｄが第２位相差値「０」に切り替えられた場合には、入射した第１，第２直線偏光Ｓ，Ｐをそのまま出射する。
【００３３】
〔2-3．制御装置の構成〕
制御装置２３は、ＣＰＵ(Central Processing Unit)等を有し、液晶パネル２１５や偏光切替装置２２の動作を制御する。
この制御装置２３は、図２に示すように、信号判別部２３１と、左目用記憶部２３２Ｌ及び右目用記憶部２３２Ｒと、タイミングコントローラー２３３と、表示制御部２３４と、偏光制御部２３５とを備える。
信号判別部２３１は、外部から入力した入力信号に含まれる左右画像信号から、左目用画像信号と、右目用画像信号とを判別する。
そして、信号判別部２３１は、左目用画像信号を左目用画像データとして左目用記憶部２３２Ｌに記憶させ、右目用画像信号を右目用画像データとして右目用記憶部２３２Ｒに記憶させる。
なお、左，右目用記憶部２３２Ｌ，２３２Ｒに記憶される左，右目用画像データは、Ｒ，Ｇ，Ｂ色光用の各画像データ（１フレーム毎のデータの集まり）にそれぞれ区別されている。
タイミングコントローラー２３３は、外部から入力した入力信号に含まれる同期信号（垂直同期信号、水平同期信号）を読み取って、表示制御部２３４及び偏光制御部２３５の同期をとる。
【００３４】
図６は、液晶パネル２１５の駆動方法を説明するための模式図である。
表示制御部２３４は、左，右目用記憶部２３２Ｌ，２３２Ｒに記憶された左，右目用画像データを適宜、読み出す。そして、表示制御部２３４は、これら左，右目用画像データに所定の処理を施した後、液晶パネル２１５を線順次駆動させて、当該左，右目用画像データに基づく左，右目用画像を形成させる。
具体的に、表示制御部２３４は、タイミングコントローラー２３３から出力される同期信号に基づいて、図６に示すように、垂直走査期間内に、液晶パネル２１５における最上部の走査線Ｌ（Ｌ１）から最下部の走査線Ｌ（Ｌｎ）まで順次、各画素に画像データを書き込み（階調に応じた電圧を印加）、液晶パネル２１５に形成される画像を更新する。そして、表示制御部２３４は、次の垂直走査期間内では、上記同様の処理を行い、次の画像に更新する。
なお、以下では、説明の便宜上、一の垂直走査期間において、走査線Ｌ１へ画像データの書き込みを開始する書込開始タイミングＷｓから走査線Ｌｎへの画像データの書き込みを完了する書込完了タイミングＷｅまでの走査時間をＴscとして記載する（図７参照）。
【００３５】
偏光制御部２３５は、タイミングコントローラー２３３から出力される同期信号に基づいて、最上部のライン電極２２４Ａから最下部のライン電極２２４Ａまで順次、第２透明電極２２６との間を電圧印加または電圧非印加の状態とし、偏光切替装置２４の位相差値を第１位相差値「λ／２」または第２位相差値「０」に切り替える。
なお、以下では、説明の便宜上、偏光切替装置２４において、最上部のライン電極２２４Ａから最下部のライン電極２２４Ａの各位置を、液晶パネル２１５の各走査線Ｌ１〜Ｌｎに対応させてそれぞれＬ１´〜Ｌｎ´とする（図７参照）。
本実施形態では、偏光制御部２３５は、最上部の位置Ｌ１´を第１位相差値「λ／２」に切り替えてから最下部の位置Ｌｎ´を第１位相差値「λ／２」に切り替えるまでの走査時間を、液晶パネル２１５の走査時間Ｔscと同一の時間で実施する。言い換えれば、偏光制御部２３５は、最上部の位置Ｌ１´から最下部の位置Ｌｎ´まで第１位相差値「λ／２」に切り替える速度が、最上部の位置Ｌ１から最下部の位置Ｌｎまで画像データを書き込む速度（走査速度）と同一となるように、偏光切替装置２４を駆動させる。なお、第２位相差値「０」への切替も同様である。
【００３６】
〔３．偏光眼鏡の構成〕
偏光眼鏡３は、観察者が装着するものであり、図１に示すように、左目用透過部３１と、右目用透過部３２とを備える。
左目用透過部３１は、透過軸が第１直線偏光Ｓの偏光方向と同一方向となる偏光レンズで構成されている。
右目用透過部３２は、透過軸が第２直線偏光Ｐの偏光方向と同一方向となる偏光レンズで構成されている。
【００３７】
〔４．プロジェクションシステムの動作〕
次に、上述したプロジェクションシステム１の動作について説明する。
なお、以下では、説明の便宜上、第１のプロジェクター２Ａの動作、第２のプロジェクター２Ｂの動作を順に説明する。
【００３８】
〔4-1．第１のプロジェクターの動作〕
先ず、第１のプロジェクター２Ａの動作について説明する。
図７は、第１のプロジェクター２Ａの動作を説明するための図である。
具体的に、図７（Ａ）〜図７（Ｃ）は、第１のプロジェクター２Ａを構成する各液晶パネル２１５Ｇ，２１５Ｒ，２１５Ｂの各走査線Ｌへの画像データの書込タイミングをそれぞれ示すタイミングチャートであり、最上部の走査線Ｌ１〜最下部の走査線Ｌｎの各位置を縦軸としている。また、図７（Ｄ）は、第１のプロジェクター２Ａを構成する偏光切替装置２２における位相差値Δｎｄの切替タイミングを示すタイミングチャートであり、最上部の位置Ｌ１´〜最下部の位置Ｌｎ´の各位置を縦軸としている。
【００３９】
また、図７（Ａ）〜図７（Ｃ）では、各走査線Ｌ１〜Ｌｎへの画像データの書込みタイミングを模式的に示すために、書込開始タイミングＷｓと、書込完了タイミングＷｅとを直線で結んでいる。また、説明の便宜上、各液晶パネル２１５Ｇ，２１５Ｒ，２１５Ｂに形成される画像として、左目用画像及び右目用画像についてそれぞれ「Ｌ」及び「Ｒ」の文字を付加している（各画像ともにそれぞれ平行四辺形の領域）。
図７（Ｄ）でも同様に、各位置Ｌ１´〜Ｌｎ´における第１位相差値「λ／２」及び第２位相差値「０」の切替タイミングを模式的に示すために、位置Ｌ１´の第１位相差値「λ／２」への切替開始タイミングである第１切替開始タイミングＳｓ１と、位置Ｌｎ´の第１位相差値「λ／２」への切替開始タイミングである第１切替完了タイミングＳｅ１とを直線で結んでいる。また、位置Ｌ１´の第２位相差値「０」への切替開始タイミングである第２切替開始タイミングＳｓ２と、位置Ｌｎ´の第２位相差値「０」への切替開始タイミングである第２切替完了タイミングＳｅ２とを直線で結んでいる。また、説明の便宜上、偏光切替装置２４の位相差値Δｎｄとして、第１位相差値「λ／２」及び第２位相差値「０」についてそれぞれ「１」及び「２」の文字を付加している（各位相差値ともにそれぞれ平行四辺形の領域）。
【００４０】
第１のプロジェクター２Ａを構成する制御装置２３は、以下に示すように、液晶パネル２１５及び偏光切替装置２２の動作を制御する。
なお、以下では、説明の便宜上、Ｇ色光側の液晶パネル２１５Ｇの動作、Ｒ，Ｂ色光側の各液晶パネル２１５Ｒ，２１５Ｂの動作、及び偏光切替装置２２の動作を順に説明する。
【００４１】
〔4-1-1．Ｇ色光側の液晶パネルの動作〕
表示制御部２３４は、左，右目用記憶部２３２Ｌ，２３２ＲからＧ色光用の左，右目用画像データを読み出し、タイミングコントローラー２３３から出力される信号に基づいて、以下に示すように、Ｇ色光側の液晶パネル２１５Ｇを動作させる。
すなわち、表示制御部２３４は、図７（Ａ）に示すように、垂直走査期間Ｔｖ１〜Ｔｖ４（本実施形態では、１／２４０（秒））毎に、液晶パネル２１５Ｇに形成させる画像を、Ｇ色光用の左目用画像、Ｇ色光用の左目用画像、Ｇ色光用の右目用画像、及びＧ色光用の右目用画像の順に更新する。言い換えれば、表示制御部２３４は、液晶パネル２１５Ｇに形成させる画像を、交互に切り替わる第１期間Ｔ１（垂直走査期間Ｔｖ１，Ｔｖ２）及び第２期間Ｔ２（垂直走査期間Ｔｖ３，Ｔｖ４）のうち、第１期間Ｔ１でＧ色光用の左目用画像に２回更新し、第２期間Ｔ２でＧ色光用の右目用画像に２回更新する。
具体的には、表示制御部２３４は、タイミングコントローラー２３３からの信号の出力タイミングＶに略合致した書込開始タイミングＷｓで走査線Ｌ１への画像データの書き込みを開始し、順次、走査線Ｌｎまで画像データを書き込み、液晶パネル２１５Ｇに形成させる画像を更新する。
【００４２】
〔4-1-2．Ｒ，Ｂ色光側の各液晶パネルの動作〕
表示制御部２３４は、左，右目用記憶部２３２Ｌ，２３２ＲからＲ，Ｂ色光用の左，右目用画像データを読み出し、タイミングコントローラー２３３から出力される信号に基づいて、以下に示すように、Ｒ，Ｂ色光側の各液晶パネル２１５Ｒ，２１５Ｂを動作させる。
すなわち、表示制御部２３４は、図７（Ｂ）に示すように、垂直走査期間Ｔｖ１〜Ｔｖ４毎に、液晶パネル２１５Ｒに形成させる画像を、Ｒ色光用の右目用画像、Ｒ色光用の右目用画像、Ｒ色光用の左目用画像、及びＲ色光用の左目用画像の順に更新する。
なお、液晶パネル２１５Ｂの動作も、図７（Ｃ）に示すように、同様である。
【００４３】
〔4-1-3．偏光切替装置の動作〕
偏光制御部２３５は、偏光切替装置２２を以下に示すように動作させる。
すなわち、偏光制御部２３５は、タイミングコントローラー２３３からの信号の出力タイミングＶに基づいて、図７（Ｄ）に示すように、第１期間Ｔ１の開始時点に略合致した第１切替開始タイミングＳｓ１で最上部の位置Ｌ１´から第１位相差値「λ／２」へと切替を開始し、最下部の位置Ｌｎ´まで第１位相差値「λ／２」へと切り替える。
また、偏光制御部２３５は、タイミングコントローラー２３３からの信号の出力タイミングＶに基づいて、図７（Ｄ）に示すように、第２期間Ｔ２の開始時点に略合致した第２切替開始タイミングＳｓ２で最上部の位置Ｌ１´から第２位相差値「０」へと切替を開始し、最下部の位置Ｌｎ´まで第２位相差値「０」へと切り替える。
【００４４】
〔4-2．第２のプロジェクターの動作〕
次に、第２のプロジェクター２Ｂの動作について説明する。
図８は、第２のプロジェクター２Ｂの動作を説明するための図である。
具体的に、図８（Ａ）〜図８（Ｄ）は、図７（Ａ）〜図７（Ｄ）と同様のタイミングチャートを示した図である。
なお、第１，第２のプロジェクター２Ａ，２Ｂに入力される入力信号（左右画像信号、同期信号）は、同一のものである。そして、第１，第２のプロジェクター２Ａ，２Ｂを構成する各タイミングコントローラー２３３により、入力信号に含まれる同期信号に基づいて、第１のプロジェクター２Ａを構成する各液晶パネル２１５及び偏光切替装置２２の動作と、第２のプロジェクター２Ｂを構成する各液晶パネル２１５及び偏光切替装置２２の動作との同期がとられている。
【００４５】
第２のプロジェクター２Ｂを構成する制御装置２３は、以下に示すように、液晶パネル２１５及び偏光切替装置２２の動作を制御する。
なお、以下では、第１のプロジェクター２Ａの動作と同様に、Ｇ色光側の液晶パネル２１５Ｇの動作、Ｒ，Ｂ色光側の各液晶パネル２１５Ｒ，２１５Ｂの動作、及び偏光切替装置２２の動作を順に説明する。
【００４６】
〔4-2-1．Ｇ色光側の液晶パネルの動作〕
表示制御部２３４は、左，右目用記憶部２３２Ｌ，２３２ＲからＧ色光用の左，右目用画像データを読み出し、タイミングコントローラー２３３から出力される信号に基づいて、以下に示すように、液晶パネル２１５Ｇを動作させる。
すなわち、表示制御部２３４は、第１のプロジェクター２Ａとは逆に、図８（Ａ）に示すように、垂直走査期間Ｔｖ１〜Ｔｖ４毎に、液晶パネル２１５Ｇに形成させる画像を、Ｇ色光用の右目用画像、Ｇ色光用の右目用画像、Ｇ色光用の左目用画像、及びＧ色光用の左目用画像の順に更新する。
【００４７】
〔4-2-2．Ｒ，Ｂ色光側の各液晶パネルの動作〕
表示制御部２３４は、左，右目用記憶部２３２Ｌ，２３２ＲからＲ，Ｂ色光用の左，右目用画像データを読み出し、タイミングコントローラー２３３から出力される信号に基づいて、以下に示すように、Ｒ，Ｂ色光側の各液晶パネル２１５Ｒ，２１５Ｂを動作させる。
すなわち、表示制御部２３４は、第１のプロジェクター２Ａとは逆に、図８（Ｂ）に示すように、垂直走査期間Ｔｖ１〜Ｔｖ４毎に、液晶パネル２１５Ｒに形成させる画像を、Ｒ色光用の左目用画像、Ｒ色光用の左目用画像、Ｒ色光用の右目用画像、及びＲ色光用の右目用画像の順に更新する。
なお、液晶パネル２１５Ｂの動作も、図８（Ｃ）に示すように、同様である。
【００４８】
〔4-2-3．偏光切替装置の動作〕
偏光制御部２３５は、第１のプロジェクター２Ａとは逆に、偏光切替装置２２を動作させる。
すなわち、偏光制御部２３５は、タイミングコントローラー２３３からの信号の出力タイミングＶに基づいて、図８（Ｄ）に示すように、第１期間Ｔ１の開始時点に略合致した第２切替開始タイミングＳｓ２で最上部の位置Ｌ１´から第２位相差値「０」へと切替を開始し、最下部の位置Ｌｎ´まで第２位相差値「０」へと切り替える。
また、偏光制御部２３５は、タイミングコントローラー２３３からの信号の出力タイミングＶに基づいて、図８（Ｄ）に示すように、第２期間Ｔ２の開始時点に略合致した第１切替開始タイミングＳｓ１で最上部の位置Ｌ１´から第１位相差値「λ／２」へと切替を開始し、最下部の位置Ｌｎ´まで第１位相差値「λ／２」へと切り替える。
【００４９】
上述した本実施形態によれば、以下に示す効果がある。
図９及び図１０は、本実施形態の効果を説明するための図である。
なお、図９は偏光眼鏡３における左目用透過部３１を透過して観察者の左目にて視認される画像を示し、図１０は右目用透過部３２を透過して観察者の右目にて視認される画像を示している。
具体的に、図９（Ａ）〜図９（Ｃ）では、第１のプロジェクター２Ａから投射され、観察者の左目にて視認される画像を図７（Ａ）〜図７（Ｃ）のタイミングチャートに対応させて図示している。図９（Ｄ）〜図９（Ｆ）では、第２のプロジェクター２Ｂから投射され、観察者の左目にて視認される画像を図８（Ａ）〜図８（Ｃ）のタイミングチャートに対応させて図示している。
また、図１０（Ａ）〜図１０（Ｃ）では、第１のプロジェクター２Ａから投射され、観察者の右目にて視認される画像を図７（Ａ）〜図７（Ｃ）のタイミングチャートに対応させて図示している。図１０（Ｄ）〜図１０（Ｆ）では、第２のプロジェクター２Ｂから投射され、観察者の右目にて視認される画像を図８（Ａ）〜図８（Ｃ）のタイミングチャートに対応させて図示している。
そして、図９及び図１０では、観察者に視認される画像についてのみ「Ｌ」または「Ｒ」の文字を付加している。
【００５０】
上述したように、第１，第２のプロジェクター２Ａ，２Ｂが動作することで、スクリーンＳｃに対して、以下に示すように第１，第２のプロジェクター２Ａ，２Ｂから画像が投射されることとなる。
すなわち、第１のプロジェクター２Ａは、第１期間Ｔ１において、第１位相差値「λ／２」に切り替えられた偏光切替装置２２を介して、Ｇ色光用の左目用画像を第１直線偏光Ｓで投射するとともに、Ｒ，Ｂ色光用の各右目用画像を第２直線偏光Ｐで投射する。
一方、第２のプロジェクター２Ｂは、第１期間Ｔ１において、第２位相差値「０」に切り替えられた偏光切替装置２２を介して、Ｇ色光用の右目用画像を第２直線偏光Ｐで投射するとともに、Ｒ，Ｂ色光用の各左目用画像を第１直線偏光Ｓで投射する。
このため、第１期間Ｔ１では、第１のプロジェクター２Ａ（図９（Ａ）〜図９（Ｃ））から投射されたＧ色光用の左目用画像、及び第２のプロジェクター２Ｂ（図９（Ｄ）〜図９（Ｆ））から投射されたＲ，Ｂ色光用の左目用画像のみが左目用透過部３１を透過し、観察者の左目にて視認される。
また、第１のプロジェクター２Ａ（図１０（Ａ）〜図１０（Ｃ））から投射されたＲ，Ｂ色光用の各右目用画像、及び第２のプロジェクター２Ｂ（図１０（Ｄ）〜図１０（Ｆ））から投射されたＧ色光用の右目用画像のみが右目用透過部３２を透過し、観察者の右目にて視認される。
【００５１】
また、第１のプロジェクター２Ａは、第２期間Ｔ２において、第２位相差値「０」に切り替えられた偏光切替装置２２を介して、Ｇ色光用の右目用画像を第２直線偏光Ｐで投射するとともに、Ｒ，Ｂ色光用の各左目用画像を第１直線偏光Ｓで投射する。
一方、第２のプロジェクター２Ｂは、第２期間Ｔ２において、第１位相差値「λ／２」に切り替えられた偏光切替装置２２を介して、Ｇ色光用の左目用画像を第１直線偏光Ｓで投射するとともに、Ｒ，Ｂ色光用の各右目用画像を第２直線偏光Ｐで投射する。
このため、第２期間Ｔ２では、第１のプロジェクター２Ａ（図９（Ａ）〜図９（Ｃ））から投射されたＲ，Ｂ色光用の各左目用画像、及び第２のプロジェクター２Ｂ（図９（Ｄ）〜図９（Ｆ））から投射されたＧ色光用の左目用画像のみが左目用透過部３１を透過し、観察者の左目にて視認される。
また、第１のプロジェクター２Ａ（図１０（Ａ）〜図１０（Ｃ））から投射されたＧ色光用の右目用画像、及び第２のプロジェクター２Ｂ（図１０（Ｄ）〜図１０（Ｆ））から投射されたＲ，Ｂ色光用の右目用画像のみが右目用透過部３２を透過し、観察者の右目にて視認される。
したがって、観察者は、第１，第２期間Ｔ１，Ｔ２において、それぞれ視差により投影画像を立体視することができる。
【００５２】
また、第１のプロジェクター２Ａは、Ｒ，Ｇ，Ｂ色光用の左目用画像及び右目用画像を交互に投射する。第２のプロジェクター２Ｂも同様である。このため、以下の効果を享受できる。
すなわち、投影画像の所定位置を観察した際に、観察者の目に対して、第２のプロジェクター２Ｂよりも第１のプロジェクター２Ａから投射される光の方が多く入射する場合であっても、投影画像（左目用画像）において、第１期間Ｔ１では緑色が強く視認されるが、第２期間Ｔ２ではマゼンタ色が強く視認されることとなる。
このため、左目用画像の色味が時間的に平均化されることとなる。
なお、右目用画像についても同様である。また、投影画像の他の位置を観察した場合に、観察者の目に対して、第１のプロジェクターよりも第２のプロジェクターから投射される光の方が多く入射する場合でも同様である。
したがって、第１，第２期間Ｔ１，Ｔ２で時間的に色味が平均化されることで、投影画像の色ムラを軽減し、投影画像を良好に立体視させることができる。
【００５３】
また、偏光切替装置２２は、鉛直方向Ｗ１に沿って順次、第１位相差値「λ／２」または第２位相差値「０」に切替可能に構成されている。また、偏光制御部２３５は、偏光切替装置２２の構成に合わせて、偏光切替装置２２の動作を制御する。
このことにより、液晶パネル２１５における線順次駆動の垂直走査方向と鉛直方向Ｗ１とが合致するように偏光切替装置２２を構成することで、液晶パネル２１５の線順次駆動に合わせて、偏光切替装置２２を動作させることができる。
このため、液晶パネル２１５の線順次駆動に合わせて、液晶パネル２１５にて形成された左目用画像または右目用画像を所望の偏光状態（第１直線偏光Ｓまたは第２直線偏光Ｐ）に変換することができる。
したがって、観察者は、偏光眼鏡３を通してスクリーンＳｃ上の投影画像を観察することで、左目で左目用画像のみを視認し、右目で右目用画像のみを視認できる。すなわち、クロストークの発生を抑制できる。
【００５４】
なお、本発明は前述の実施形態に限定されるものではなく、本発明の目的を達成できる範囲での変形、改良等は本発明に含まれるものである。
前記実施形態では、第１，第２の光変調装置２４Ａ，２４Ｂにて形成された画像は、互いに偏光方向が直交する直線偏光でそれぞれ出射され、偏光切替装置２２に入射していたが、これに限らない。
例えば、第１，第２の光変調装置２４Ａ，２４Ｂと偏光切替装置２２との間に、波長選択性偏光回転素子等の部材を介在させ、第１，第２の光変調装置２４Ａ，２４Ｂにて形成された画像を同一の直線偏光に変換して、偏光切替装置２２に入射させる構成としても構わない。
そして、上述したように構成した場合には、スクリーンＳｃに対して、以下に示すように第１，第２のプロジェクター２Ａ，２Ｂから画像を投射させる。
例えば、第１のプロジェクター２Ａは、第１期間Ｔ１でＲ，Ｇ，Ｂ色光用の各左目用画像を形成し、上述した波長選択性偏光回転素子及び偏光切替装置２２を介して、各左目用画像を第１直線偏光Ｓで投射する。また、第１のプロジェクター２Ａは、第２期間でＲ，Ｇ，Ｂ色光用の各右目用画像を形成し、上述した波長選択性偏光回転素子及び偏光切替装置２２を介して、各右目用画像を第２直線偏光Ｐで投射する。
【００５５】
一方、第２のプロジェクター２Ｂは、第１期間Ｔ１でＲ，Ｇ，Ｂ色光用の各右目用画像を形成し、上述した波長選択性偏光回転素子及び偏光切替装置２２を介して、各右目用画像を第２直線偏光Ｐで投射する。また、第２のプロジェクター２Ｂは、第２期間Ｔ２でＲ，Ｇ，Ｂ色光用の各左目用画像を形成し、上述した波長選択性偏光回転素子及び偏光切替装置２２を介して、各左目用画像を第１直線偏光Ｓで投射する。
そして、観察者は、偏光眼鏡３を通してスクリーンＳｃ上の投影画像を観察することで、第１期間Ｔ１では、第１のプロジェクター２Ａから投射された第１直線偏光Ｓの各左目用画像を左目で視認し、第２のプロジェクター２Ｂから投射された第２直線偏光Ｐの各右目用画像を右目で視認する。また、第２期間Ｔ２では、第２のプロジェクター２Ｂから投射された第１直線偏光Ｓの各左目用画像を左目で視認し、第１のプロジェクター２Ａから投射された第２直線偏光Ｐの各右目用画像を右目で視認する。したがって、観察者は、第１，第２期間Ｔ１，Ｔ２において、それぞれ視差により投影画像を立体視することができる。
【００５６】
また、上述したように、第１のプロジェクター２Ａは、左目用画像及び右目用画像を交互に投射する。第２のプロジェクター２Ｂも同様である。このため、以下の効果を享受できる。
すなわち、投影画像の所定位置を観察した際に、観察者の目に対して、第２のプロジェクター２Ｂよりも第１のプロジェクター２Ａから投射される光の方が多く入射する場合であっても、第１期間Ｔ１では左目用画像（第１のプロジェクター２Ａから投射）が強く視認されるが、第２期間Ｔ２では左目用画像（第２のプロジェクター２Ｂから投射）が弱く視認されることとなる。
このため、左目用画像の輝度値が時間的に平均化されることとなる。
なお、右目用画像についても同様である。また、投影画像の他の位置を観察した場合に、観察者の目に対して、第１のプロジェクター２Ａよりも第２のプロジェクター２Ｂから投射される光の方が多く入射する場合でも同様である。
したがって、第１，第２期間Ｔ１，Ｔ２で時間的に輝度値が平均化されることで、投影画像の輝度ムラを軽減し、投影画像を良好に立体視させることができる。
【００５７】
前記実施形態では、第１，第２直線偏光Ｓ，Ｐを利用して投影画像を立体視させていたが、これに限らず、左回りの円偏光、右回りの円偏光を利用して投影画像を立体視させる構成、例えば、偏光切替装置２２が第１，第２の光変調装置２４Ａ，２４Ｂにて変調された光を左回りの円偏光、または右回りの円偏光に変換する構成を採用しても構わない。
このように構成した場合には、偏光眼鏡３も上記構成に対応させて、左目用透過部３１が左回りの円偏光及び右回りの円偏光の一方のみを透過させ、右目用透過部３２が他方のみを透過させる構成とする。
前記実施形態では、第１，第２透明電極２２４，２２６の形状は異なるように形成されていたが、これに限らず、第２透明電極２２６も第１透明電極２２４と同様に複数のライン電極で構成しても構わない。
【産業上の利用可能性】
【００５８】
本発明は、プロジェクターや偏光眼鏡を用いて画像を立体視させるプロジェクションシステムに利用できる。
【符号の説明】
【００５９】
１・・・プロジェクションシステム、２Ａ・・・第１のプロジェクター、２Ｂ・・・第２のプロジェクター、３・・・偏光眼鏡、２２・・・偏光切替装置、２３・・・制御装置、２４Ａ・・・第１の光変調装置、２４Ｂ・・・第２の光変調装置、３１・・・左目用透過部、３２・・・右目用透過部、２１０・・・投射レンズ（投射光学装置）、２１１・・・光源装置、２３４・・・表示制御部、２３５・・・偏光制御部、Ｓｃ・・・スクリーン、Ｔ１・・・第１期間、Ｔ２・・・第２期間、Ｗ１・・・鉛直方向（第１の方向）。
【図１】
2013120264.tif 000003
【図２】
2013120264.tif 000004
【図３】
2013120264.tif 000005
【図４】
2013120264.tif 000006
【図５】
2013120264.tif 000007
【図６】
2013120264.tif 000008
【図７】
2013120264.tif 000009
【図８】
2013120264.tif 000010
【図９】
2013120264.tif 000011
【図１０】
2013120264.tif 000012
【図１１】
2013120264.tif 000013